(57)【特許請求の範囲】
【請求項１】
燃料タンクの開口部に配設される蓋体本体の内側に、略円柱形状の燃料ポンプを設け、該燃料タンク内の燃料を吸い上げて、外部へ供給するようにした燃料タンクの蓋体構造であって、
前記蓋体本体には、前記蓋体本体の内外を貫通して形成されるポンプ配管接続部の周囲に、該蓋体本体から該燃料タンク内側方向に向けて、断面形状を燃料フィルタの外側形状に合わせて略円弧形状とする燃料フィルタ取付壁を一体に形成して、しかも、該燃料フィルタには、略中央に突出口部が設けられた上面部の周端縁に、管軸方向に沿って、下方に向けて開口を形成するポンプ接続口部を一体に設けて、前記燃料フィルタ取付壁に沿わせて、該燃料フィルタを挿入することにより、該燃料フィルタの突出口部が、前記ポンプ配管接続部に、接続されると共に、前記燃料ポンプが装着される際に、燃料ポンプ突出口部に対応する位置に、該燃料フィルタのポンプ接続口部を位置させるようにガイドするフィルタガイド手段を設け、更に、該燃料フィルタが前記ポンプ配管接続部に、接続した状態で、該燃料フィルタを抜け止めするフィルタ係止手段を設けると共に、該燃料ポンプが前記ポンプ配管接続部に、接続した状態で、該燃料ポンプを抜け止めするポンプ係止手段を設けてなることを特徴とする燃料タンクの蓋体構造。
【請求項２】
前記フィルタガイド手段は、前記燃料フィルタ取付壁に、該燃料フィルタ取付壁の延設方向に沿って形成されるスリット及び前記燃料フィルタに形成されて該フィルタスリットに摺接されるガイド突起を有することを特徴とする請求項１記載の燃料タンクの蓋体構造。
【請求項３】
前記フィルタ係止手段は、前記燃料フィルタの外側面に突設される係止爪及び、前記燃料フィルタ取付壁に穿設されて、該係止爪を係止する係止孔とを有すると共に、前記燃料フィルタの蓋体本体側の上面部周端縁に形成され、前記燃料ポンプの燃料突出口と接続する事により、該燃料突出口に支持されるポンプ接続部とを有してなることを特徴とする請求項１又は２記載の燃料タンクの蓋体構造。
【発明の詳細な説明】
【０００１】
【発明の属する技術分野】
この発明は、主に、車両に配設される燃料タンクの蓋体構造に関するものである。
【０００２】
【従来の技術】
従来のこの種の燃料タンクの蓋体構造としては、図９に示す実開平２−７１２３１号公報に記載されているようなものが知られている。
【０００３】このようなものでは、燃料タンク１の開口部１ａに配設される密閉蓋２の内側に、樹脂成形されたスイッチケース３が、ボルト４，４及びナット５，５によって固着されている。
【０００４】
このスイッチケース３には、フロート６の燃料液面変化による浮き沈みにより、アーム７を回動させて、燃料残量を検出するポテンショメータ８が設けられている。
【０００５】
また、この密閉蓋２の内側には、金属製のブラケット９が配設されている。
【０００６】
このブラケット９は、略凹字状の側面形状を呈して、上辺外側は、前記密閉蓋２の内側に固着させる固着部９ａを形成すると共に、下辺内側に、受け部９ｂが形成されている。
【０００７】
この受け部９ｂには、燃料ポンプ１０が固着されている。この燃料ポンプ１０は、前記燃料タンク１内の燃料を、この燃料タンク１内の底部近傍に配設されるフィルタ１１を介して吸い上げると共に、吐出口部１２に対して、ジョイント１４を介して接続される燃料パイプ１３からエンジン配設方向へ、燃料を供給するように構成されている。
【０００８】
【発明が解決しようとする課題】
しかしながら、このような従来の燃料タンクの蓋体構造では、燃料ポンプ１０が、金属製のブラケット９を介して、前記密閉蓋２の内側に取り付けられているので、このブラケット９の部品の分、及びこのブラケット９の固着部９ａを前記密閉蓋２の内側に取り付けるボルト，ナット等の取付部品の分、更に、この燃料ポンプ１０を前記受け部９ｂに取り付けるボルト，ナット等の取付部品の分、点数等が増大してしまうといった問題があった。
【０００９】
また、取付作業工程も、前記燃料ポンプ１０等を予め、前記ブラケット９の受け部９ｂに固着させておいてから、前記密閉蓋２の内側に、このブラケット９を固着するようにしている。
【００１０】
このため、前記燃料タンク１に、燃料ポンプ１０等を組み付けした密閉蓋２を配設しようとしても、前記ポテンショメータ８及び燃料ポンプ１０等を密閉蓋２に一体化する作業工程数を減少させることは困難であり、組み付け作業性が良好であるとは言い難かった。
【００１１】
また、前記燃料パイプ１３は、前記密閉蓋２に挿通されて、前記突出口部１２にジョイント１４を介して取り付けられているので、前記燃料ポンプ１０を予め、前記ブラケット９の受け部９ｂに固着させて、前記突出口部１２を位置決めしてから連結する必要があった。この点においても、組み付け作業性が良好であるとは言い難かった。
【００１２】
そこで、この発明は、部品点数を削減して、作業工程数を減少させると共に、組み付け作業性が良好な燃料タンクの蓋体構造を提供することを課題としている。
【００１３】
【課題を解決するための手段】
前記課題を解決するため本願発明の請求項１に記載されたものでは、燃料タンクの開口部に配設される蓋体本体の内側に、略円柱形状の燃料ポンプを設け、該燃料タンク内の燃料を吸い上げて、外部へ供給するようにした燃料タンクの蓋体構造であって、前記蓋体本体には、前記蓋体本体の内外を貫通して形成されるポンプ配管接続部の周囲に、該蓋体本体から該燃料タンク内側方向に向けて、断面形状を燃料フィルタの外側形状に合わせて略円弧形状とする燃料フィルタ取付壁を一体に形成して、しかも、該燃料フィルタには、略中央に突出口部が設けられた上面部の周端縁に、管軸方向に沿って、下方に向けて開口を形成するポンプ接続口部を一体に設けて、前記燃料フィルタ取付壁に沿わせて、該燃料フィルタを挿入することにより、該燃料フィルタの突出口部が、前記ポンプ配管接続部に、接続されると共に、前記燃料ポンプが装着される際に、燃料ポンプ突出口部に対応する位置に、該燃料フィルタのポンプ接続口部を位置させるようにガイドするフィルタガイド手段を設け、更に、該燃料フィルタが前記ポンプ配管接続部に、接続した状態で、該燃料フィルタを抜け止めするフィルタ係止手段を設けると共に、該燃料ポンプが前記ポンプ配管接続部に、接続した状態で、該燃料ポンプを抜け止めするポンプ係止手段を設けてなる燃料タンクの蓋体構造を特徴としている。
【００１４】
このように構成された請求項１記載のものでは、該蓋体本体に延設される燃料ポンプ取付壁に沿わせて、前記蓋体本体方向に向けて、燃料ポンプを挿入する。該燃料ポンプ取付壁は、断面形状を前記燃料ポンプの外側形状に合わせて略円弧形状としているので、燃料ポンプ外壁面は、該燃料ポンプ取付壁の内壁に沿って、円滑に挿入される。
【００１５】
この際、前記ガイド部材が、前記ポンプ配管接続部に、前記燃料ポンプを接続するように形成されているので、挿入するだけで、前記ポンプ配管接続部に、前記燃料ポンプが接続される。
【００１６】
そして、接続された状態では、前記ポンプ係止手段によって、該燃料ポンプが抜け止めされることにより、燃料ポンプの該蓋体本体に対する装着が完了する。
【００１７】
このため、従来のように、ブラケットを用いずに、燃料ポンプを蓋体本体に一体に装着することが出来るので、ブラケット及びボルト，ナット等の取付部品の点数を減少させることが出来る。
【００１８】
しかも、燃料ポンプを蓋体本体に対して、一方方向から前記各取付壁に沿わせて挿入するだけで、燃料ポンプ等の組み付けのみならず、ポンプ配管まで完了させることが出来るので、工程数を減少させると共に、組み付け作業性を良好なものとすることが出来る。
【００３６】
更に、前記蓋体本体には、前記燃料フィルタ取付壁形成位置に隣接する位置に、該蓋体本体から該燃料タンク内側方向に向けて、略直交して延設されると共に、断面形状を前記燃料フィルタの外側形状に合わせて略円弧形状とする燃料フィルタ取付壁が、一体に形成されている。
【００３７】
このため、前記燃料フィルタの高さを所定高さ採用しても、燃料ポンプとは隣接して配設されるので、前記蓋体本体からの高さを抑制できる。
【００３８】
従って、内側の高さに制限のある燃料タンクに用いて好適である。
【００３９】
また、前記フィルタガイド手段が、前記ポンプ配管接続部に、該燃料フィルタの突出口部を、接続すると共に、前記燃料ポンプが装着された際に、燃料ポンプ突出口部に対応する位置に、該燃料フィルタの突出口部と接続する入口孔部を位置させるようにガイドする。
【００４０】
このため、前記フィルタ係止手段によって、該燃料フィルタが前記ポンプ配管接続部に、接続した状態で、該燃料フィルタが抜け止めされて、係止されると共に、該燃料フィルタの入口孔部は、該燃料ポンプの突出口部と接続する位置に配設される。
【００４１】
従って、前記燃料フィルタに続けて、同方向から前記燃料ポンプを挿入すれば、装着が完了するので、組み付け作業性が良好である。
【００４２】
また、請求項２に記載されたものでは、前記フィルタガイド手段は、前記燃料フィルタ取付壁に、該燃料フィルタ取付壁の延設方向に沿って形成されるスリット及び前記燃料フィルタに形成されて該フィルタスリットに摺接されるガイド突起を有する請求項１記載の燃料タンクの蓋体構造を特徴としている。
このように構成された請求項２に記載されたものでは、前記フィルタガイド手段として、スリットが、前記燃料フィルタ取付壁に、該燃料フィルタ取付壁の延設方向に沿って形成されている。
【００４３】
該スリットは、型抜き方向を該燃料フィルタ取付壁の延設方向に沿わせることにより、前記成形時に、容易に形成できる。
【００４４】
しかも、該スリットが、該燃料ポンプ取付壁の延設方向に沿って形成されているので、断面略円弧形状を呈する燃料ポンプ取付壁であっても、拡径方向へ撓んで拡開し易い。このため、更に、取付作業性を良好なものとすることが出来る。
【００４５】
そして、請求項３に記載されたものでは、前記フィルタ係止手段は、前記燃料フィルタの外側面に突設される係止爪及び、前記燃料フィルタ取付壁に穿設されて、該係止爪を係止する係止孔とを有すると共に、前記燃料フィルタの蓋体本体側の上面部周端縁に形成され、前記燃料ポンプの燃料突出口と接続する事により、該燃料突出口に支持されるポンプ接続部とを有してなる各請求項１又は２記載の燃料タンクの蓋体構造を特徴としている。
【００４６】
このように構成された請求項３記載のものでは、前記燃料フィルタが、前記係止爪を前記係止孔に係止させると共に、前記ポンプ接続部が、前記燃料ポンプの燃料突出口と接続される事により、該燃料突出口に支持される。
【００４７】
このため、前記燃料フィルタ及び、燃料ポンプの順序で、前記蓋体本体に挿入するだけで、該燃料フィルタは、前記係止爪部分及び前記ポンプ接続口部分の複数箇所で、抜け止めされて固着される。従って、組み付け作業性が良好である。
【００５０】
【発明の実施の形態１】
以下、本発明の具体的な実施の形態について、図面を参照しつつ説明する。
【００５１】
図１乃至図５は、この発明の実施の形態１を示すものである。なお、前記従来例と同一乃至均等な部分については、同一符号を付して説明する。
【００５２】
まず、構成を説明すると、図１中符号１４は、この実施の形態１の燃料タンクの開口部に配設される密閉蓋で、この密閉蓋１４は、略円板形状の蓋体本体１５と、この蓋体本体１５の内側に一体に設けられ、燃料残量を検出するポテンショメータ８を有するポテンショメータユニット１６、燃料タンク内の燃料を吸い上げて、外部へ供給する断面略円柱形状の燃料ポンプ１７、及び吸い上げた燃料を濾過する断面略円柱形状の燃料フィルタ１８とから主に構成されている。
【００５３】
このうち、燃料ポンプ１７には、図４に示すように下面部１７ａに、燃料吸入口１７ｂが設けられると共に、上面部１７ｃには、駆動電力の供給を受けるコネクタ部１７ｄ及び、ポンプ駆動により、吸入した燃料を突出する燃料突出口部１７ｅが設けられている。この燃料突出口部１７ｅには、ゴム製のシールリング１７ｇを配設する環状のリング溝１７ｆが、周面に形成されている。
【００５４】
また、前記燃料フィルタ１８には、図５に示す様に、上面部１８ａの略中央部に、突出口１８ｂが設けられると共に、この上面部１８ａの周端縁１８ｃには、管軸方向に沿って、下方に向けて開口を形成するポンプ接続口部１８ｄが設けられている。
【００５５】
そして、このポンプ接続口部１８ｄから流入した燃料は、この燃料フィルタ１８内に略円筒形状に配設されるフィルタ本体１８ｅに外周面１８ｆから浸透して、濾過され、内周面１８ｇより略中央に集められて、前記突出口１８ｂから突出されるように構成されている。この突出口部１８ｂには、シールリング１８ｌを配設するリング溝１８ｋが形成されている。
【００５６】
また、この燃料フィルタ１８には、側面部１８ｈに、ガイド突起１８ｉ及び係止爪１８ｊが突設されている。
【００５７】
前記蓋体本体１５には、この蓋体本体１５から燃料タンク内側方向に向けて、略直交して延設されるポテンショメータ取付壁１９が一体に形成されている。
【００５８】
このポテンショメータ取付壁１９には、前記ポテンショメータユニット１６から突設される係合爪２０，２０と係合することにより、このポテンショメータユニット１６を蓋体本体１５に固着する係合孔２１，２１が、壁面延設方向に略直交して穿設されて形成されている。
【００５９】
この蓋体本体１５の前記ポテンショメータ取付壁１９に対応する外側位置には、コネクタ部１５ａが、一体に形成されている。また、この蓋体本体１５には、コネクタ部１５ａに隣接されて、前記燃料ポンプ１７へ電力を供給するコネクタ部１５ｂが一体に形成されている。
【００６０】
そして、この蓋体本体１５には、ポンプ配管接続部２２が、前記蓋体本体１５の内外を貫通して一体に形成されている。このポンプ配管接続部２２には、前記燃料ポンプ突出口を挿入して嵌着するポンプ嵌着部２３と、燃料配管に先端を接続して、前記ポンプ嵌着部２３から流入した燃料を、エンジン方向に導出する配管接続部２４とが設けられている。
【００６１】
この蓋体本体１５のポンプ配管接続部２２の周囲には、燃料ポンプ取付壁２５が、この蓋体本体１５と一体となるように形成されている。
【００６２】
この燃料ポンプ取付壁２５は、前記蓋体本体１５から燃料タンク内側方向に向けて、略直交して延設されていると共に、断面形状を前記燃料ポンプ１７の外側形状に合わせて略円弧形状としている。
【００６３】
また、前記蓋体本体１５には、前記ポンプ配管接続部２２を略中心とする周囲に、燃料フィルタ取付壁２６が一体に形成されている。
【００６４】
この燃料フィルタ取付壁２６は、前記燃料ポンプ取付壁２５形成位置に隣接する位置に、蓋体本体１５から燃料タンク内側方向に向けて、略直交して延設されると共に、断面形状が前記燃料フィルタ１８の外側形状に合わせて略円弧形状となるように構成されている。
【００６５】
しかも、この燃料フィルタ取付壁２６には、フィルタガイド手段としてのフィルタスリット２６ａが形成されている。
【００６６】
このフィルタスリット２６ａは、蓋体本体１５方向に向けて、前記燃料フィルタ１８を挿入することにより、前記ポンプ配管接続部２２に、この燃料フィルタ１８の突出口部１８ｂを、接続すると共に、前記燃料ポンプ１７が装着された際に、燃料ポンプ突出口部１７ｅに対応する位置に、この燃料ポンプ１７の突出口部１７ｅと接続する入口孔部としての前記ポンプ接続口部１８ｄを位置させるように、前記ガイド突起１８ｉをスライド自在に摺接させて、ガイドするように構成されている。
【００６７】
更に、この燃料フィルタ取付壁２６には、燃料フィルタ１８が、前記ポンプ配管接続部２２に、接続した状態で、前記係止爪１８ｊを係止し、この燃料フィルタ１８を抜け止めするフィルタ係止手段としての係止孔２６ｂが、壁面に略直交する方向に穿設されて設けられている。
【００６８】
しかも、前記燃料ポンプ取付壁２５には、前記燃料ポンプ１７を前記燃料ポンプ取付壁２５に沿わせて、前記蓋体本体１５方向に向けて挿入することにより、前記ポンプ配管接続部２２に、前記燃料フィルタ１８を介して、前記燃料ポンプ１７が接続されるようにガイドするポンプガイド手段としてのポンプスリット２５ａが設けられている。
【００６９】
更に、この燃料ポンプ取付壁２５には、燃料ポンプ１７が前記ポンプ配管接続部２２に、前記燃料フィルタ１８を介して、接続した状態で、燃料ポンプ１７を抜け止めするポンプ係止手段としての係止孔２５ｂが、壁面延設方向に略直交して穿設されて設けられている。
【００７０】
また、前記燃料ポンプ１７には、合成樹脂製のポンプホルダ２７が、周側面方向から嵌着されて装着されている。このポンプホルダ２７は、断面略半円形状の略箱型形状を呈していて、上壁２８及び下壁２９を上下端に形成することにより、前記燃料ポンプ１７の下面部１７ａ及び上面部１７ｃを当接させて保持し、脱落を防止するようにしている。
【００７１】
このポンプホルダ２７の外側面２７ａには、ポンプ係止手段としての前記係止孔２５ｂに係止する係止爪２７ｂが突設されている。
【００７２】
また、このポンプホルダ２７の外側面２７ａには、前記ポンプスリット２５ａとスライド自在に摺接するガイド片２７ｃが突設されている。
【００７３】
更に、前記蓋体本体１５のコネクタ１５ｂと、前記燃料ポンプ１７のコネクタ部１７ｄとの間には、これらの両コネクタ１５ｂ及び、１７ｄを接続する中継コネクタ３０が設けられている。この中継コネクタ３０は、一端部３０ａを前記コネクタ部１５ｂのタンク内側に嵌着すると共に、他端部３０ｂを前記コネクタ部１７ｄに嵌着するように構成されている。
【００７４】
次に、この実施の形態１の作用について説明する。
【００７５】
まず、ポテンショメータユニット１６を、前記蓋体本体１５に装着する。
【００７６】
前記蓋体本体１５に略直交して延設されるポテンショメータ取付壁１９に沿わせて、前記ポテンショメータユニット１６を挿入すると、ポテンショメータ取付壁１９に形成された係合孔２１，２１に、前記ポテンショメータユニット１６から突設される係合爪２０，２０が係合させられて、ポテンショメータユニット１６が、蓋体本体１５に固着される。
【００７７】
次に、燃料フィルタ１８を装着するため、燃料フィルタ取付壁２６に形成されたフィルタスリット２６ａに、前記燃料フィルタ１８のガイド突起１８ｉを摺接させて、この燃料フィルタ１８をスライド挿入すると、前記燃料フィルタ取付壁２６の内壁に、前記燃料フィルタ１８の側面部１８ｈが摺接しながら、燃料フィルタ取付壁２６延設方向へスライド移動させられる。
【００７８】
この燃料フィルタ取付壁２６は、前記燃料ポンプ取付壁２５の形成されている位置に対して、隣接する位置に、蓋体本体１５から燃料タンク１の内側方向に向けて、略直交して延設されると共に、断面形状を前記燃料フィルタ１８の外側形状に合わせて略円弧形状として一体に形成されている。
【００７９】
このため、樹脂製材料で、側面部１８ｈを構成する前記燃料フィルタ１８は、同じく、樹脂製の燃料ポンプ取付壁２５に沿って、円滑にスライド移動する。
【００８０】
そして、前記フィルタスリット２６ａが、このスライド移動をガイドして、前記ポンプ配管接続部２２に形成されるポンプ嵌着部２３へ、燃料フィルタ１８の突出口部１７ｅを挿入させて、接続する。この接続により、前記シールリング１７ｇによって、ポンプ嵌着部２３及び、突出口部１７ｅ間がシールされる。
【００８１】
この際、フィルタスリット２６ａが、燃料フィルタ取付壁２６の延設方向に沿って形成されているので、断面略円弧形状を呈する燃料ポンプ取付壁２６であっても、小片化され、拡径方向へ撓んで拡開し易い。このため、前記係止爪１８ｊが、燃料フィルタ１８の側面部１８ｈから突設されていても、燃料ポンプ取付壁２６が、この係止爪１８ｊを当接させる部分で、拡開して、挿入を妨げることはない。
【００８２】
更に、この係止爪１８ｊは、前記係止孔２６ｂ形成位置に到達すると、この係止孔２６ｂ内に挿入されて、前記燃料ポンプ取付壁２６の撓みは、基に戻ろうとして、内側方向へ縮径する。このため、前記係止爪１８ｊが、前記係止孔２６ｂの周縁に係止され、燃料フィルタ１８が前記ポンプ配管接続部２２に、接続された状態で、この燃料フィルタ１８が抜け止めされる。
【００８３】
この際、樹脂製材料で、側面部１８ｈを構成する前記燃料フィルタ１８に、同じく、樹脂製の燃料フィルタ取付壁２６が密接する。燃料フィルタ取付壁２６は、前記燃料フィルタ１８形状に適合させて断面略円弧形状としているので、ガタつきが最小限度に押さえられて、安定して装着される。
【００８４】
しかも、前記フィルタスリット２６ａのガイドによって、この燃料フィルタ１８の前記突出口部１８ｂを略中心軸とする回転方向の移動は阻止されて、燃料ポンプ１７が装着された際に、燃料ポンプ突出口部１７ｅに対応する位置に、この突出口部１７ｅと接続するポンプ接続口部１８ｄが位置する。
【００８５】
このため、続けて、前記燃料フィルタ１８に続けて、同方向から前記燃料ポンプ１７を挿入すれば、装着が完了するので、組み付け作業性が良好である。
【００８６】
また、前記燃料フィルタ１８の高さを、所定高さ採用しても、燃料ポンプ１７とは隣接して配設されるので、前記蓋体本体１５から、前記燃料フィルタ１８又は、燃料ポンプ１７の下面部１７ａまでの高さを抑制できる。
【００８７】
従って、内側の高さに制限のある燃料タンク１に用いて好適である。
【００８８】
また、前記フィルタスリット２６ａは、型抜き方向を燃料フィルタ取付壁２６の延設方向に沿わせることにより、前記成形時に、容易に形成できる。更に、係止孔２６ｂも、燃料フィルタ取付壁２６の延設方向に略直交して形成されるものであるので、容易に穿設できる。
【００８９】
次に、図１に示すように、燃料ポンプ１７に前記ポンプホルダ２７を側面から嵌着して装着すると共に、前記コネクタ部１７ｄに中継コネクタ３０の他端部３０ｂを嵌着する。前記ポンプホルダ２７には、上壁部２８及び下壁部２９が形成されているので、上下方向への脱落が防止されている。
【００９０】
そして、前記蓋体本体１５に略直交して延設される燃料ポンプ取付壁２５に沿わせて、前記蓋体本体１５方向に向けて、前記ポンプホルダ２７等が装着された燃料ポンプ１７を挿入する。
【００９１】
このように、燃料ポンプ１７が挿入されると、この燃料ポンプ取付壁２５は、断面形状を前記燃料ポンプ１７のポンプホルダ２７外側形状に合わせて略円弧形状としているので、ポンプホルダ２７外壁面は、燃料ポンプ取付壁２５の内壁に沿って、円滑に挿入される。
【００９２】
この際、前記ポンプスリット２５ａによって、前記ポンプ配管接続部２２と連通するポンプ接続口部１８ｄに対して、前記燃料ポンプ１７の燃料突出口部１７ｅを接続するように、前記ガイド片２７ｃがガイドされて、挿入方向を軸とする回動は阻止されるので、挿入するだけで、前記燃料突出口部１７ｅに、前記燃料ポンプ１７の燃料突出口部１７ｅが挿入されて接続され、前記シールリング１８ｌによってシールされると共に、前記蓋体本体１５のコネクタ１５ｂに前記中継コネクタ３０の一端部３０ａが、挿入されて嵌着し、電気的に導通する。
【００９３】
この際、ポンプスリット２５ａが、燃料ポンプ取付壁２５の延設方向に沿って形成されているので、断面略円弧形状を呈する燃料ポンプ取付壁２５であっても、小片化され、拡径方向へ撓んで拡開し易い。このため、前記係止爪２７ｂが、ポンプホルダ２７の外側面２７ａから突設されていても、前記燃料ポンプ取付壁２５が、この係止爪２７ｂを当接させる部分で、拡開して、挿入を妨げることはない。
【００９４】
更に、この係止爪２７ｂは、前記係止孔２５ｂ形成位置に到達すると、この係止孔２５ｂ内に挿入されて、前記燃料ポンプ取付壁２６の撓みは、基に戻ろうとして、内側方向へ縮径する。このため、前記係止爪２７ｂが、前記係止孔２５ｂの周縁に係止され、燃料ポンプ１７の燃料突出口１７ｅが前記ポンプ接続口部１８ｄに、接続された状態で、この燃料ポンプ１７が抜け止めされる。
【００９５】
この際、樹脂製材料で、外側面２７ａを構成する前記ポンプホルダ２７に、同じく、樹脂製の燃料ポンプ取付壁２５が密接する。燃料ポンプ取付壁２５は、前記ポンプホルダ２７の形状に適合させて断面略円弧形状としているので、ガタつきが最小限度に押さえられて、安定して装着される。
【００９６】
このように、接続された状態では、前記係止孔２５ｂに、係止爪２７ｂが係止されているので、ポンプホルダ２７が抜け止めされることにより、燃料ポンプ１７の蓋体本体１５に対する装着が完了する。
【００９７】
このため、従来のように、ブラケット等を用いずに、ポテンショメータユニット１６，燃料ポンプ１７及び，燃料フィルタ１８を蓋体本体１５に、一体となるように装着して、密閉蓋１４を形成することが出来るので、ブラケット，ボルト及び，ナット等の取付部品の点数を減少させることが出来る。
【００９８】
しかも、ポテンショメータユニット１６，燃料ポンプ１７及び，燃料フィルタ１８を蓋体本体１５に対して、一方方向から前記各取付壁１９，２５，２６に沿わせて挿入するだけで、燃料ポンプ１７等の組み付けのみならず、ポンプ配管，更には、中継コネクタ３０等による電気的接続まで完了させることが出来るので、工程数を減少させると共に、組み付け作業性を良好なものとすることが出来る。
【００９９】
しかも、この実施の形態１では、前記燃料フィルタ１８が、前記係止爪１８ｊを前記係止孔２６ｂに係止させると共に、前記ポンプ接続口部１８ｄが、前記燃料ポンプ１７の燃料突出口１７ｅと接続される事により、この燃料突出口１７ｅにも、前記燃料フィルタ取付壁２６延設方向への移動を防止されるように支持されている。
【０１００】
このため、前記燃料フィルタ１８及び、燃料ポンプ１７の順序で、前記蓋体本体１５に挿入するだけで、燃料フィルタ１８は、前記係止爪１８ｊ部分及び前記ポンプ接続口部１８ｄの複数箇所で、抜け止めされて固着される。従って、更に、燃料フィルタ１８を安定させて、前記蓋体本体１５に固着できると共に、組み付け作業性が良好である。
【０１０１】
また、前記ポテンショメータ取付壁１９，燃料ポンプ取付壁２５及び，燃料フィルタ取付壁２６が、蓋体本体１５に略直交して形成されているので、成形時、容易な型割り構造を採用して、製造コストの上昇を抑制することが出来る。
【０１０２】
また、前記ポテンショメータ取付壁１９，前記燃料ポンプ取付壁２５及び燃料フィルタ取付壁２６が、合成樹脂製材料で形成されているので、更に、燃料ポンプ１７等の挿入時には、前記燃料ポンプ取付壁２５等が、撓んで拡開する事により、抵抗を減少させると共に、装着後は、燃料ポンプ１７のポンプホルダ２７等の外周面に、前記燃料ポンプ取付壁２５等の内面が密着して、固着させることが出来る。
【０１０３】
このため、更に、取付作業性を良好なものとしつつ、安定した装着状態を保持させることが出来る。
【０１０４】
そして、前記ポンプスリット２５ａは、型抜き方向を燃料ポンプ取付壁２５の延設方向に沿わせることにより、前記成形時に、容易に形成できる。
【０１０５】
しかも、このポンプスリット２５ａが、燃料ポンプ取付壁２５の延設方向に沿って形成されているので、断面略円弧形状を呈する燃料ポンプ取付壁２５であっても、このポンプスリット２５ａによって、周方向に分割されることにより断面略円弧形状である影響を受けにくい略板状の大きさまで小片化出来、拡径方向へ撓んで拡開し易い。このため、更に、取付作業性を良好なものとすることが出来る。
【０１０６】
また、前記燃料ポンプ取付壁２５には、壁面延設方向に略直交する方向へ穿設されて、係止爪２７ｂを係止する係止孔２５ｂが、形成されている。
【０１０７】
このため、前記係止孔２５ｂは、前記成形時に、容易に穿設して形成できる。
【０１０８】
また、前記燃料ポンプ１７に前記係止爪２７ｂを形成しなくても、前記ポンプホルダ２７に係止爪２７ｂを形成することにより、ポンプホルダ２７を燃料ポンプ１７に装着して、前記燃料ポンプ取付壁２５に沿わせて挿入させて、スライド移動させることにより、組み付けを行うことが出来る。このため、燃料ポンプ１７外周面が、金属等で構成されていて加工が困難なものであっても、安定させて装着できる。
【０１０９】
しかも、ポンプホルダ２７を、合成樹脂製材料で構成しているので、前記合成樹脂製材料で構成された燃料ポンプ取付壁２５の内側に対して、更に、円滑に、挿入が可能であると共に、装着後は、間隙を少なくするように形成することにより、安定させて固着させることが出来る。
【０１１０】
また、この実施の形態１では、前記ポンプ配管接続部２２と、前記燃料ポンプ１７との間に、前記蓋体本体１５に一体に装着される燃料フィルタ１８が介在されている。
【０１１１】
このため、前記蓋体本体１５に燃料フィルタ１８を一体に装着してから、前記燃料ポンプ１７を装着すれば、前記燃料吸込口１７ｂから吸い込んだ燃料を、燃料突出部１７ｅを介して、前記燃料フィルタ１８に供給し、この燃料フィルタ１８内で、フィルタ本体１８ｅの外壁面１８ｆ側から内壁面１８ｇ側へ向けて濾過して、前記突出口部１８ｂから、燃料配管が接続されるポンプ配管接続部２２まで連通される蛇行した燃料路が形成されて、組付けが完了する。
【０１１２】
燃料フィルタ１８内では、図５に示すように円筒形状のフィルタ本体１８ｅの外壁面１８ｆ側から内壁面１８ｇ側へ向けて、燃料が濾過される。
【０１１３】
このため、燃料フィルタ１８のフィルタ本体１８ｅの面積を充分確保しつつ、燃料フィルタ１８の底部までの高さの増大を抑制して、前記蓋体本体１５に、燃料フィルタ１８を、一体に装着する構成とする事が出来る。
【０１１４】
図６乃至図８は、実施の形態２の燃料タンクの蓋体構造を示すものである。
【０１１５】
なお、前記実施の形態１と同一乃至均等な部分については、同一符号を付して説明する。
【０１１６】
この実施の形態２の燃料タンクの蓋体構造では、前記燃料ポンプ１７の燃料突出口部１７ｅを直接、前記蓋体本体１１５のポンプ配管接続部２２に形成されるポンプ嵌着部２３に挿入して嵌着するように、断面略円弧形状を呈する前記燃料ポンプ取付壁１２５が、前記ポンプ配管接続部２２を略中央として、この蓋体本体１１５から略直交する方向へ延設されている。
【０１１７】
また、燃料ポンプ１７の外壁面には、図８に示すように、直接、ガイド突起１７ｉ及び係止爪１７ｊが形成されている。
【０１１８】
この様に構成された実施の形態２の燃料タンクの蓋体構造では、蓋体本体１１５に略直交して延設される燃料ポンプ取付壁１２５に沿わせて、前記蓋体本体方向に向けて、燃料ポンプ１７を挿入する。
【０１１９】
この燃料ポンプ取付壁１２５は、断面形状を前記燃料ポンプ１７の外側形状に合わせて略円弧形状としているので、燃料ポンプ外壁面は、燃料ポンプ取付壁１２５の内壁に沿って、円滑に挿入される。
【０１２０】
この際、前記ポンプスリット２５ａに沿って、ガイド突起１７ｉがガイドされ、前記ポンプ配管接続部２２に、前記燃料ポンプ１７を接続するように形成されているので、挿入するだけで、図６に示すように、前記ポンプ配管接続部２２に、前記燃料ポンプ１７の燃料突出口部１７ｅが接続されて、シールリング１７ｇによってシールされる。
【０１２１】
そして、接続された状態では、前記係止爪１７ｊが、前記係止孔２５ｂに係止して、該燃料ポンプ１７が抜け止めされることにより、燃料ポンプ１７の蓋体本体１１５に対する装着が完了する。
【０１２２】
このため、実施の形態１のポンプホルダ２７を用いずに、ポテンショメータユニット１６及び燃料ポンプ１７を蓋体本体１１５に一体に装着することが出来るので、更に、部品の点数を減少させることが出来る。
【０１２３】
しかも、ポテンショメータユニット１６及び燃料ポンプ１７を蓋体本体１１５に対して、一方方向から前記各取付壁に沿わせて挿入するだけで、燃料ポンプ等の組み付けのみならず、前記ポンプ配管接続部２２に、燃料突出口部１７ｅを接続するポンプ配管まで完了させることが出来ると共に、前記中継コネクタ３０による電気的接続も行えるので、工程数を減少させると共に、組み付け作業性を良好なものとすることが出来る。
【０１２４】
他の構成及び作用については、前記実施の形態１と略同一であるので、説明を省略する。
【０１２５】
以上、この発明の実施の形態１，２を図面により詳述してきたが、具体的な構成はこの実施の形態１に限らず、この発明の要旨を逸脱しない範囲の設計の変更等があってもこの発明に含まれる。
【０１２６】
例えば、前記実施の形態１，２では、燃料ポンプ１７，１１７の挿入により、中継コネクタ３０を介して、前記蓋体本体１５，１１５に形成されるコネクタ１５ｂに、コネクタ部１７ｄを電気的に接続するように構成されているが、特にこれに限らず、例えば、直接、コネクタ部１７ｄをコネクタ１５ｂに、嵌着させて、電気的に接続するように構成してもよい。
【０１２７】
【発明の効果】
以上説明してきたように、この発明の請求項１記載のものによれば、前記蓋体本体に延設される燃料ポンプ取付壁に沿わせて、前記蓋体本体方向に向けて、燃料ポンプを挿入する。該燃料ポンプ取付壁は、断面形状を前記燃料ポンプの外側形状に合わせて略円弧形状としているので、燃料ポンプ外壁面は、該燃料ポンプ取付壁の内壁に沿って、円滑に挿入される。
【０１２８】
この際、前記ガイド部材が、前記ポンプ配管接続部に、前記燃料ポンプを接続するように形成されているので、挿入するだけで、前記ポンプ配管接続部に、前記燃料ポンプが接続される。
【０１２９】
そして、接続された状態では、前記ポンプ係止手段によって、該燃料ポンプが抜け止めされることにより、燃料ポンプの該蓋体本体に対する装着が完了する。
【０１３０】
このため、従来のように、ブラケットを用いずに、燃料ポンプを蓋体本体に一体に装着することが出来るので、ブラケット及びボルト，ナット等の取付部品の点数を減少させることが出来る。
【０１３１】
しかも、燃料ポンプを蓋体本体に対して、一方方向から前記各取付壁に沿わせて挿入するだけで、燃料ポンプ等の組み付けのみならず、ポンプ配管まで完了させることが出来るので、工程数を減少させると共に、組み付け作業性を良好なものとすることが出来る。
【０１４４】
更に、前記蓋体本体には、前記燃料ポンプ取付壁形成位置に隣接する位置に、該蓋体本体から該燃料タンク内側方向に向けて、略直交して延設されると共に、断面形状を前記燃料フィルタの外側形状に合わせて略円弧形状とする燃料フィルタ取付壁が、一体に形成されている。
【０１４５】
このため、前記燃料フィルタの高さを所定高さ採用しても、燃料ポンプとは隣接して配設されるので、前記蓋体本体からの高さを抑制できる。
【０１４６】
従って、内側の高さに制限のある燃料タンクに用いて好適である。
【０１４７】
また、前記フィルタガイド手段が、前記ポンプ配管接続部に、該燃料フィルタの突出口部を、接続すると共に、前記燃料ポンプが装着された際に、燃料ポンプ突出口部に対応する位置に、該燃料フィルタの突出口部と接続する入口孔部を位置させるようにガイドする。
【０１４８】
このため、前記フィルタ係止手段によって、該燃料フィルタが前記ポンプ配管接続部に、接続した状態で、該燃料フィルタが抜け止めされて、係止されると共に、該燃料フィルタの入口孔部は、該燃料ポンプの突出口部と接続する位置に配設される。
【０１４９】
従って、前記燃料フィルタに続けて、同方向から前記燃料ポンプを挿入すれば、装着が完了するので、組み付け作業性が良好である。
【０１５０】
また、請求項２に記載されたものでは、前記フィルタガイド手段として、スリットが、前記燃料フィルタ取付壁に、該燃料フィルタ取付壁の延設方向に沿って形成されている。
該スリットは、型抜き方向を該燃料フィルタ取付壁の延設方向に沿わせることにより、前記成形時に、容易に形成できる。
【０１５１】
該スリットは、型抜き方向を該燃料フィルタ取付壁の延設方向に沿わせることにより、前記成形時に、容易に形成できる。
【０１５２】
しかも、該スリットが、該燃料ポンプ取付壁の延設方向に沿って形成されているので、断面略円弧形状を呈する燃料ポンプ取付壁であっても、拡径方向へ撓んで拡開し易い。このため、更に、取付作業性を良好なものとすることが出来る、  そして、請求項３記載のものでは、前記燃料フィルタが、前記係止爪を前記係止孔に係止させると共に、前記ポンプ接続部が、前記燃料ポンプの燃料突出口と接続される事により、該燃料突出口にも支持される。
【０１５３】
このため、前記燃料フィルタ及び、燃料ポンプの順序で、前記蓋体本体に挿入するだけで、該燃料フィルタは、前記係止爪部分及び前記ポンプ接続口部分の複数箇所で、抜け止めされて固着される。従って、該燃料フィルタを安定させて、前記蓋体本体に固着できると共に、組み付け作業性を良好なものとすることが出来る、という実用上有益な効果を発揮する。
【図面の簡単な説明】
【図１】本発明の実施の形態１の燃料タンクの蓋体構造で、全体の構成を説明する分解斜視図である。
【図２】実施の形態１の燃料タンクの蓋体構造で、蓋体本体の側面図である。
【図３】実施の形態１の燃料タンクの蓋体構造で、ポテンショメータユニットの側面図である。
【図４】実施の形態１の燃料タンクの蓋体構造で、燃料ポンプの一部断面を有する側面図である。
【図５】実施の形態１の燃料タンクの蓋体構造で、燃料フィルタの側面図である。
【図６】本発明の実施の形態２の燃料タンクの蓋体構造で、全体の構成を説明する側面図である。
【図７】実施の形態２の燃料タンクの蓋体構造で、蓋体本体の側面図である。
【図８】実施の形態１の燃料タンクの蓋体構造で、燃料ポンプの側面図である。
【図９】従来例の燃料タンクの蓋体構造で、全体の構成を説明する燃料タンクの部分断面図である。
【符号の説明】
１４    密閉蓋
１５，１１５  蓋体本体
１７，１１７  燃料ポンプ
１７ｉ，１８ｉ  ガイド突起（ポンプガイド手段）
１７ｊ，１８ｊ  係止爪（ポンプ係止手段）
１８    燃料フィルタ
１９    ポテンショメータ取付壁
２２    ポンプ配管接続部
２５，１２５  燃料ポンプ取付壁
２５ａ  ポンプスリット（ポンプガイド手段）
２５ｂ  係止孔（ポンプ係止手段）
２６    燃料フィルタ
２６ａ  フィルタスリット（フィルタガイド手段）
２６ｂ  係止孔（フィルタ係止手段）
２６    燃料フィルタ取付壁
２７    ポンプホルダ
２７ｂ  係止爪（ポンプ係止手段）
２７ｃ  ガイド片（ポンプガイド手段）
【図１】
0003667887.tif 000002
【図２】
0003667887.tif 000003
【図３】
0003667887.tif 000004
【図４】
0003667887.tif 000005
【図５】
0003667887.tif 000006
【図６】
0003667887.tif 000007
【図７】
0003667887.tif 000008
【図８】
0003667887.tif 000009
【図９】
0003667887.tif 000010